(57)【特許請求の範囲】
【請求項１】
制御対象機器を制御するモジュールユニットに電力を供給し、かつ、前記モジュールユニットとの間で制御信号を送受信するベースに接続されることで、前記ベースから電力の供給を受け、前記ベースとの間で制御信号を送受信する第１コネクタと、
前記モジュールユニットに接続されることで、前記モジュールユニットに電力を供給し、前記モジュールユニットとの間で制御信号を送受信する第２コネクタと、
前記モジュールユニットに供給する電力として、前記ベースから供給される電力および前記ベースとは異なる電力供給部から供給される電力の、いずれか一方または両方を選択し、前記第２コネクタから前記モジュールユニットに電力を供給させる電力系統選択部と、
を備える、
補助電源アダプタ。
【請求項２】
前記第１コネクタと前記第２コネクタとの間に配置され、前記第１コネクタが受信した制御信号を前記第２コネクタに中継する信号バイパス部をさらに備える、
請求項１に記載の補助電源アダプタ。
【請求項３】
前記ベースから供給される電力の供給状態を検知する電力供給状態検知部をさらに備え、
前記電力供給状態検知部は、前記ベースから供給される電力の供給状態に異常が生じたことを検知した場合、前記電力系統選択部に、前記モジュールユニットへ供給する電力を、前記ベースから供給される電力から前記電力供給部から供給される電力に切り換える指示を送信する、
請求項１または２に記載の補助電源アダプタ。
【請求項４】
前記電力供給部は、外部に備えられた外部電源である、
請求項１から３のいずれか一項に記載の補助電源アダプタ。
【請求項５】
前記電力供給部は、前記ベースから供給される電力を蓄電することができる蓄電素子部である、
請求項１から３のいずれか一項に記載の補助電源アダプタ。
【発明の詳細な説明】
【技術分野】
【０００１】
本開示は、補助電源アダプタに関する。
【背景技術】
【０００２】
プログラマブルコントローラ（以下、ＰＬＣ：Ｐｒｏｇｒａｍｍａｂｌｅ  Ｌｏｇｉｃ  Ｃｏｎｔｒｏｌｌｅｒと称する）を用いたシステムにおいて、大容量のデータの演算を行うことができる高性能ユニット、高速演算処理ユニット等の消費電力の大きいユニットを用いる場合、電源モジュールによる電源供給量では、電力が足りない可能性がある。そこで、例えば、特許文献１には、既存の電源モジュールによる電力供給を補足する手段として、電源モジュールの内部で生成した電力と、外部から供給される電力とを切り替えてＰＬＣシステムに供給することができる技術が開示されている。
【先行技術文献】
【特許文献】
【０００３】
【特許文献１】特開２０１１−１８７０２７号公報
【発明の概要】
【発明が解決しようとする課題】
【０００４】
特許文献１に開示されている技術では、電源モジュールの内部で生成した電力と、外部から供給される電力とを、切り替えるための機構が必要である。このため、既存のＰＬＣシステムの構成を、そのまま使用することができないという課題がある。また、ＰＬＣシステムには、消費電力の大きいユニットだけではなく、消費電力の小さなユニットも含まれる場合がある。この場合、消費電力の小さなユニットに、消費電力の大きいユニットと同じ値の電力が供給されることになると、供給される電力に無駄が生じる。このため、各モジュールユニットに必要な値の電力が供給されることが望ましい。しかしながら、特許文献１に開示されている技術では、ＰＬＣシステムの各モジュールユニットに送電するための電源ラインは、ＰＬＣシステム全体で共通である。このため、特許文献１に開示されている技術では、各モジュールユニットには一律な値の電力が供給されることになる。したがって、各モジュールユニットに対して、個別に必要な値の電力を供給することが難しいという課題がある。【０００５】
本開示は上述の課題を解決するためのものであり、ＰＬＣシステムの構成を変更することなく、各モジュールユニットに対して、個別に必要な値の電力を供給することができる補助電源アダプタを提供することを目的とする。
【課題を解決するための手段】
【０００６】
上記目標を達成するために、補助電源アダプタは、制御対象機器を制御するモジュールユニットに電力を供給し、かつ、モジュールユニットとの間で制御信号を送受信するベースに接続されることで、ベースから電力の供給を受け、ベースとの間で制御信号を送受信する第１コネクタと、モジュールユニットに接続されることで、モジュールユニットに電力を供給し、モジュールユニットとの間で制御信号を送受信する第２コネクタと、モジュールユニットに供給する電力として、ベースから供給される電力およびベースとは異なる電力供給部から供給される電力の、いずれか一方または両方を選択し、第２コネクタからモジュールユニットに電力を供給させる電力系統選択部と、を備える。
【発明の効果】
【０００７】
本開示における補助電源アダプタは、ＰＬＣシステムのベースとモジュールユニットとの間に装着され、ベースから供給される電力およびベースとは異なる電力供給部から供給される電力の、いずれか一方または両方を選択することにより、ＰＬＣシステムの構成を変更することなく、各モジュールユニットに対して、個別に必要な値の電力を供給することができる。
【図面の簡単な説明】
【０００８】
【図１】本開示の実施の形態１に係る補助電源アダプタを含むＰＬＣユニットの全体構成の一例を示す図
【図２】本開示の実施の形態１に係る補助電源アダプタの断面図
【図３】本開示の実施の形態１に係る補助電源アダプタの構成を示す図
【図４Ａ】本開示の実施の形態１に係る補助電源アダプタの電力系統選択部の構成を示す図
【図４Ｂ】本開示の実施の形態１に係る補助電源アダプタの電力系統選択部においてベースからの電力供給を示す図
【図４Ｃ】本開示の実施の形態１に係る補助電源アダプタの電力系統選択部において外部電源からの電力供給を示す図
【図４Ｄ】本開示の実施の形態１に係る補助電源アダプタの電力系統選択部においてベースおよび外部電源からの電力供給を示す図
【図５】本開示の実施の形態２に係る補助電源アダプタの構成の一例を示す図
【図６】本開示の実施の形態２に係る補助電源アダプタのハードウエア構成を示す図
【図７】本開示の実施の形態２に係る補助電源アダプタにおける電源切換処理のフローチャート
【図８】本開示の実施の形態１に係る補助電源アダプタの構成の変形例を示す図
【図９】本開示の実施の形態１に係る補助電源アダプタの構成の変形例を示す断面図
【図１０】本開示の実施の形態１に係る補助電源アダプタの構成の変形例を示す断面図
【図１１】本開示の実施の形態１に係る補助電源アダプタの構成の変形例を示す図
【図１２】本開示の実施の形態１に係る補助電源アダプタにおける電力供給元選択処理の変形例を示すフローチャート
【発明を実施するための形態】
【０００９】
（実施の形態１）
以下、本開示の実施の形態１に係る補助電源アダプタ４について、図面を参照しつつ説明する。なお、同一または同等の部分に同一の符号を付す。
【００１０】
補助電源アダプタ４は、プログラマブルコントローラ（以下、ＰＬＣ：Ｐｒｏｇｒａｍｍａｂｌｅ  Ｌｏｇｉｃ  Ｃｏｎｔｒｏｌｌｅｒと称する）システム１００のベース１とモジュールユニット５との間に装着されることにより、ＰＬＣシステム１００の電源ラインの定格容量に関わらず、必要な電力をモジュールユニット５に供給することができるアダプタである。
【００１１】
図１は、補助電源アダプタ４を含むＰＬＣシステム１００の全体構成の一例を示す図である。ＰＬＣシステム１００は、各種モジュールユニットが接続されるベース１、各種モジュールユニットを装着するためのモジュール装着部２ａ、２ｂと、各種モジュールユニットに電力を供給する電源モジュール３と、特定のモジュールユニット５に電力を供給する補助電源アダプタ４と、各種処理を実行するモジュールユニット７、８とを備える。モジュール装着部２ａ、２ｂには、補助電源アダプタ４、モジュールユニット５、７、８等を装着するためのバスコネクタ部１１ａ、１１ｂが備えられている。なお、モジュール装着部２ａ、２ｂを総称して、以下では、モジュール装着部２と称する。また、バスコネクタ部１１ａ、１１ｂを総称して、以下では第１バスコネクタ部１１と称する。
【００１２】
ここで、図１に示すＡ−Ａ’線で切り、黒色矢印の方向から見た断面図を、図２に示す。補助電源アダプタ４は、ベース１の第１バスコネクタ部１１に、第２バスコネクタ部４１により装着されている。補助電源アダプタ４には、外部電源接続部４５を介して、外部から電力を供給する外部電源９が接続されている。また、モジュールユニット５は、補助電源アダプタ４の第３バスコネクタ部４２に、第４バスコネクタ部５１により装着されている。
【００１３】
図３は、補助電源アダプタ４の構成を示す図である。補助電源アダプタ４は、ベース１に装着するための第２バスコネクタ部４１と、モジュールユニット５に装着するための第３バスコネクタ部４２と、制御信号、バス信号等を中継する信号バイパス部４３と、モジュールユニット５に供給するための電力を選択する電力系統選択部４４と、外部電源９を接続するための外部電源接続部４５とを備える。
【００１４】
第２バスコネクタ部４１は、ベース１に補助電源アダプタ４を装着するためのコネクタである。補助電源アダプタ４は、第２バスコネクタ部４１を介して、図１に示した電源モジュール３からベース１に供給される電力を受け取る。また、補助電源アダプタ４は、第２バスコネクタ部４１を介して、ベース１と制御信号、バス信号等を送受信する。第３バスコネクタ部４２は、モジュールユニット５に補助電源アダプタ４を装着するためのコネクタである。補助電源アダプタ４は、第３バスコネクタ部４２を介して、電力をモジュールユニット５に供給する。また、補助電源アダプタ４は、第３バスコネクタ部４２を介して、モジュールユニット５と制御信号、バス信号等を送受信する。なお、第２バスコネクタ部４１は、請求の範囲における第１コネクタの一例である。また、第３バスコネクタ部４２は、請求の範囲における第２コネクタの一例である。
【００１５】
信号バイパス部４３は、第２バスコネクタ部４１を介してベース１から制御信号、バス信号等を受信する。信号バイパス部４３は、受信した制御信号、バス信号等を、モジュールユニット５に送信する。電力系統選択部４４は、第２バスコネクタ部４１を介して電源モジュール３から供給される電力と、外部電源接続部４５を介して外部電源９から供給される電力を受け取る。電力系統選択部４４は、受け取った電源モジュール３から供給される電力と、外部電源９から供給される電力とのいずれか一方、または両方を選択し、第３バスコネクタ部４２を介してモジュールユニット５に供給する。外部電源接続部４５は、外部電源９を接続するための接続部である。外部電源接続部４５は、外部電源９から供給される電力を、電力系統選択部４４に供給する。
【００１６】
補助電源アダプタ４の電力系統選択部４４は、具体的には、モジュールユニット５の消費電力、ＰＬＣシステム１００の用途等に応じて、ベース１から供給される電力と、外部電源接続部４５に接続される外部電源９から供給される電力とを選択することできる機械的なスイッチとして構成されている。本実施の形態１においては、電力系統選択部４４は、操作者によって切り替えられる。これにより、モジュールユニット５には、ベース１から供給される電力と外部電源９から供給される電力とが、適切に供給される。電力系統選択部４４の構成の一例を、図４Ａから図４Ｄを参照しつつ、以下に説明する。
【００１７】
図４Ａは、電力系統選択部４４の構成を示す図である。電力系統選択部４４は、供給される電力を切り換える電力切換部４４１と、一方から供給される電力を通し他方から供給される電力を遮断する電力分離部４４２とを備える。電力切換部４４１は、ベース１から供給される電力を選択するための第１電力切換部４４１ａと、外部電源９から供給される電力を選択するための第２電力切換部４４１ｂと、ベース１および外部電源９から供給される電力を選択するための第３電力切換部４４１ｃと、選択部４４１ｄとを含む。電力分離部４４２は、ベース１から供給される電力を通すと共に外部電源９からの電力を遮断する第１電力分離部４４２ａと、外部電源９から供給される電力を通すと共にベース１からの電力を遮断する第２電力分離部４４２ｂとを含む。
【００１８】
電力系統選択部４４は、電力切換部４４１に含まれる第１電力切換部４４１ａ〜第３電力切換部４４１ｃを、選択部４４１ｄにより選択することで、モジュールユニット５に供給される電力の供給元を切り換える。具体的には、図４Ｂに示すとおり、第１電力切換部４４１ａに選択部４４１ｄを接続した場合、ベース１からの電力がモジュールユニット５に供給される。ここで、図４Ｂから図４Ｄに示す黒色矢印は、電力の流れを示す矢印である。
【００１９】
図４Ｃに示すとおり、第２電力切換部４４１ｂに選択部４４１ｄを接続した場合、外部電源９からの電力がモジュールユニット５に供給される。また、図４Ｄに示すとおり、第３電力切換部４４１ｃに選択部４４１ｄを接続した場合、ベース１および外部電源９からの電力がモジュールユニット５に供給される。
【００２０】
以上のとおり、実施の形態１によれば、補助電源アダプタ４は、第２バスコネクタ部４１および第３バスコネクタ部４２を介して、ＰＬＣシステム１００のベース１とモジュールユニット５との間に装着され、電力系統選択部４４によりベース１から供給される電力および外部電源９から供給される電力の、いずれか一方または両方を選択することができる。これにより、安定して動作するために必要な電力をモジュールユニット５に供給することができる。
【００２１】
また、実施の形態１によれば、補助電源アダプタ４は、信号バイパス部４３により、ＰＬＣシステム１００のベース１とモジュールユニット５との間で制御信号、バス信号等を送受信することができる。これにより、補助電源アダプタ４を、ＰＬＣシステム１００のベース１とモジュールユニット５との間に装着しても、既存のＰＬＣシステム１００の機能を損なわせず、安定して動作させることができる。
【００２２】
（実施の形態２）
実施の形態１では、モジュールユニット５に外部電源９から供給される電力を供給できるものとした。しかしながら、外部電源９に停電が生じた場合、実施の形態１の構成では、モジュールユニット５に安定して電力を供給することができない。そこで、実施の形態２では、外部電源９の代わりに蓄電素子部４６を備えるものとする。そして、実施の形態２では、ベース１からの電力供給状態が正常か否かを検知し、検知結果に基づいて電力系統選択部４４に電力供給元を選択させる指示をする電力供給状態検知部４７を備える。
【００２３】
図５は、実施の形態２に係る補助電源アダプタ４Ａの構成を示す図である。補助電源アダプタ４Ａは、ベース１に装着するための第２バスコネクタ部４１と、モジュールユニット５に装着するための第３バスコネクタ部４２と、制御信号、バス信号等を中継する信号バイパス部４３と、モジュールユニット５に供給するための電力を選択する電力系統選択部４４と、ベース１から供給される電力を蓄電する蓄電素子部４６と、ベース１からの電力供給状態を検知し電力系統選択部４４に電力供給元を選択させる指示をする電力供給状態検知部４７とを備える。
【００２４】
蓄電素子部４６は、第２バスコネクタを介してベース１から供給される電力を蓄電する。また、蓄電素子部４６は、電力系統選択部４４からの指示により、蓄電した電力をモジュールユニット５に供給する。蓄電素子部４６は、例えば、コンデンサ、充電式バッテリー等を用いて構成することができる。なお、蓄電素子部４６と図３に示した外部電源９とは、請求の範囲における電力供給部の一例である。
【００２５】
電力供給状態検知部４７は、第２バスコネクタ部４１を介してベース１から供給される電力の供給状態を監視する。電力供給状態検知部４７は、ベース１からの電力供給状態に異常が生じたことを、例えば、電力値が基準値を下回ったことを検知した場合、電力系統選択部４４に電力供給元を切り換える指示を送信する。同様に、電力供給状態検知部４７は、信号バイパス部４３からベース１からの電力供給状態に異常が生じたことを、例えば、瞬停が生じたことを検知した場合、電力系統選択部４４に電力供給元を切り換える指示を送信する。電力系統選択部４４は、電力供給状態検知部４７からの指示により、電力供給元を選択する。なお、その他の構成については、実施の形態１と同様である。
【００２６】
続いて、補助電源アダプタ４のハードウエア構成の一例を、図６に示す。補助電源アダプタ４は、ベース１に接続するための第２バスコネクタ４０１と、モジュールユニット５に接続するための第３バスコネクタ４０２と、外部電源９を接続するための電源ポート４０３と、電力供給元を切り換えるスイッチ４０４と、各種プログラム及びデータを保存する記憶装置４０５と、各種プログラムを読み込むメモリ４０６と、各種プログラムを実行するプロセッサ４０７と、バス４０８とを備える。第２バスコネクタ４０１と、第３バスコネクタ４０２と、電源ポート４０３と、記憶装置４０５と、メモリ４０６と、プロセッサ４０７とは、バス４０８により相互に接続されている。
【００２７】
第２バスコネクタ４０１と第３バスコネクタ４０２とは、例えば、シリアル通信用のシリアルバスコネクタ、パラレル通信用のパラレルバスコネクタを用いて構成することができる。第２バスコネクタ４０１は、図３に示した第２バスコネクタ部４１として機能することができる。また、第３バスコネクタ４０２は、図３に示した第３バスコネクタ部４２として機能することができる。
【００２８】
電源ポート４０３は、外部電源９を接続し、外部電源９から供給される電力を印加することができるポートである。電源ポート４０３は、図３に示した外部電源接続部４５として機能することができる。電源ポート４０３は、例えば、外部電源９の接続と電力を印加することができる接続端子により構成することができる。
【００２９】
スイッチ４０４は、電力供給元として、ベース１および外部電源９の、いずれか一方、または両方を選択し、切り換えることができるスイッチである。スイッチ４０４は、図３に示した電力系統選択部４４として機能することができる。したがって、スイッチ４０４には、図４Ａから図４Ｄに示した構成が含まれる。スイッチ４０４は、例えば、ソフトウエア制御によりＯＮ、ＯＦＦを切り換えることができるスイッチにより構成することができる。
【００３０】
記憶装置４０５は、プロセッサ４０７が実行する各種プログラムと、プロセッサ４０７が各種プログラムを実行する際に必要なデータ等を保存する。また、記憶装置４０５は、例えば、ＳＤ（Ｓｅｃｕｒｅ  Ｄｉｇｉｔａｌ）カード、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の揮発性または不揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等の記憶素子及び記憶媒体を用いて構成することができる。
【００３１】
メモリ４０６は、ＰＬＣシステム１００の起動時に、記憶装置４０５に保存されている各種プログラムを読み込み、プロセッサ４０７に実行させることができるようにする記憶素子である。メモリ４０６は、例えば、ＲＡＭ（Ｒａｎｄｏｍ  Ａｃｃｅｓｓ  Ｍｅｍｏｒｙ）、フラッシュメモリなどの、データを高速に書き込むことができる揮発性または不揮発性の半導体メモリ等を用いて構成することができる。プロセッサ４０７は、メモリ４０６に展開されたプログラムを実行する。プロセッサ４０７は、例えば、ＣＰＵ（Ｃｅｎｔｒａｌ  Ｐｒｏｃｅｓｓｉｎｇ  Ｕｎｉｔ）、ＭＰＵ（Ｍｉｃｒｏ−ｐｒｏｃｅｓｓｉｎｇ  Ｕｎｉｔ）等の各種演算処理装置を用いて構成することができる。
【００３２】
補助電源アダプタ４Ａは、記憶装置４０５に保存されている各種プログラムをメモリ４０６に読み込み、プロセッサ４０７で実行することにより、図５に示した電力系統選択部４４と電力供給状態検知部４７とで実行される各機能を実現することができる。電力系統選択部４４において実行される電力供給元を切り換える処理について、図７に示す電源切換処理のフローチャートを参照しつつ、以下に説明する。
【００３３】
電源切換処理は、電源切換処理プログラムとして図６に示した記憶装置４０５に保存されている。補助電源アダプタ４Ａは、起動すると、記憶装置４０５に保存されている電源切換処理プログラムをメモリ４０６に読み込み、図６に示したプロセッサ４０７で実行する。
【００３４】
電力供給状態検知部４７は、第２バスコネクタ部４１を介してベース１からの電力供給の状態は正常か否か判定する（ステップＳ１１）。電力供給状態検知部４７は、ベース１からの電力供給状態が正常であること、例えば、電力値が基準値以上であることを検知した場合、ベース１からの電力供給の状態は正常と判定する（ステップＳ１１；ＹＥＳ）。電力供給状態検知部４７は、ベース１から供給される電力が正常であることを電力系統選択部４４に通知する（ステップＳ１２）。電力系統選択部４４は、ベース１からの電力をモジュールユニット５に供給する。また、電力系統選択部４４は、蓄電素子部４６にもベース１から供給される電力を供給する（ステップＳ１３）。蓄電素子部４６は、ベース１から供給される電力により充電される。
【００３５】
また、ステップＳ２１において、電力供給状態検知部４７は、ベース１からの電力供給状態に異常が生じたことを検知した場合、ベース１からの電力供給の状態は異常と判定する（ステップＳ１１；ＮＯ）。具体的には、電力供給状態検知部４７が、ベース１からの電力供給状態に異常が生じたこと、例えば、電力値が基準値を下回ったことを検知した場合である。または、電力供給状態検知部４７が、ベース１からの電力供給状態に異常が生じた時、例えば、瞬停が生じた時に、信号バイパス部４３から電力系統選択部４４に電力供給元を切り換える指示が送信されたことを検知した場合である。
【００３６】
電力供給状態検知部４７は、ベース１から供給される電力が異常であることを電力系統選択部４４に通知する（ステップＳ１４）。電力系統選択部４４は、モジュールユニット５に供給される電力を、ベース１から供給される電力から、蓄電素子部４６から供給される電力に切り換える（ステップＳ１５）。電力供給状態検知部４７は、ステップＳ１１に戻り、ステップＳ１１からステップＳ１５までの処理を繰り返す。
【００３７】
以上のとおり、実施の形態２によれば、外部電源９の代わりに蓄電素子部４６を備え、電力供給状態検知部４７が、ベース１からの電力供給状態が正常か否かを検知し、検知結果に基づいて電力系統選択部４４に電力供給元を選択させる指示をする。これにより、実施の形態２では、実施の形態１における効果に加え、ベース１からの電力供給状態に異常が生じた場合、速やかに、蓄電素子部４６からの電力供給が可能となる。これにより、モジュールユニット５への電力供給を一定時間維持することが可能になる。このため、モジュールユニット５は、この間に揮発メモリ上のデータを不揮発メモリに退避する、制御対象機器から取得したデータを図６に示した記憶装置４０５に保存する等、データを保護しつつ通常のシャットダウン処理を行うことができる。したがって、ベース１からの電力供給状態に異常が生じた場合でも、データの消失、破損等を回避することができる。
【００３８】
（変形例１）
上記の実施の形態１および２において、図６に示した補助電源アダプタ４のハードウエア構成として、各種プログラム及びデータを保存する記憶装置４０５と、各種プログラムを読み込むメモリ４０６と、各種プログラムを実行するプロセッサ４０７とを用いるものとした。これに限らず、記憶装置４０５と、メモリ４０６と、プロセッサ４０７とを合わせて、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を用いて実現してもよい。
【００３９】
（変形例２）
上記の実施の形態１において、図３に示した補助電源アダプタ４の電力系統選択部４４には、外部電源接続部４５を介して外部電源９から電力が直接供給されるものとした。これに限らず、例えば、図８に示す補助電源アダプタ４Ｂのとおり、外部電源９からモジュールユニット５の仕様に合わせた電力を生成する電力変換部４８を、電力系統選択部４４と外部電源接続部４５との間に入れる構成としてもよい。
【００４０】
（変形例３）
上記の実施の形態１において、図２に示したとおり、補助電源アダプタ４をベース１とモジュールユニット５との間に配置し、外部電源接続部４５を補助電源アダプタ４の下部に設ける構成とした。これに限らず、外部電源接続部４５を、図９に示す補助電源アダプタ４の下方向に架かる構成としてもよい。また、外部電源接続部４５を、図１０に示す補助電源アダプタ４の上方向に架かる構成としてもよい。さらに、外部電源接続部４５を、補助電源アダプタ４の脇に架かる構成としてもよい。この構成にした場合、補助電源アダプタ４がベース１とモジュールユニット５との間に占める厚みを抑制することができる。
【００４１】
（変形例４）
上記の実施の形態１において、補助電源アダプタ４の電力系統選択部４４は、操作者によって切り替えることのできる機械的なスイッチとして構成されているものとした。これに限らず、ソフトウエアに自動的に切り替えられてもよい。変形例３における補助電源アダプタ４の構成を、図１１に示す。補助電源アダプタ４の信号バイパス部４３は、図１に示した電源モジュール３の電力供給状態、例えば、安定して電力を供給する正常状態、瞬停、電力低下等の異常状態に応じて、電力系統選択部４４に制御信号を通知する。
【００４２】
補助電源アダプタ４は、図６に示した記憶装置４０５に保存されている各種プログラムをメモリ４０６に読み込み、プロセッサ４０７で実行することにより、図１１に示した信号バイパス部４３と電力系統選択部４４とで実行される各機能を実現することができる。電力系統選択部４４において実行されるモジュールユニット５への電力供給元の切換処理について、図１２に示す電力供給元選択処理のフローチャートを参照しつつ、以下に説明する。
【００４３】
電力供給元選択処理は、電力供給元選択処理プログラムとして記憶装置４０５に保存されている。補助電源アダプタ４は、起動すると、記憶装置４０５に保存されている電力供給元選択処理プログラムをメモリ４０６に読み込み、プロセッサ４０７で実行する。
【００４４】
電力系統選択部４４は、図１に示した電源モジュール３からベース１を介して補助電源アダプタ４に供給される電力が、正常か否か判定する（ステップＳ２１）。具体的には、電力系統選択部４４は、図３に示した信号バイパス部４３から電源モジュール３の電力供給状態に応じて通知される信号が、正常状態の信号か、異常状態の信号かを判定する。信号バイパス部４３から通知される信号が、例えば、安定して電力を供給している正常状態の信号である場合、電力系統選択部４４は、補助電源アダプタ４に供給される電力が正常なものと判定する（ステップＳ２１；ＹＥＳ）。
【００４５】
続いて、電力系統選択部４４は、モジュールユニット５で高負荷処理を実行中か否かを判定する（ステップＳ２２）。ここでいう高負荷処理とは、例えば、大容量のデータの演算、高速演算処理等の消費電力の大きい処理のことである。モジュールユニット５で高負荷処理を実行中の場合（ステップＳ２２；ＹＥＳ）、電力系統選択部４４は、電力供給元として、ベース１と外部電源９とを選択する（ステップＳ２３）。具体的には、図６に示したスイッチ４０４において、図４Ｄに示した第３電力切換部４４１ｃが選択部４４１ｄにより選択される。これにより、モジュールユニット５には、ベース１から供給される電力では足りない分を、外部電源９から供給することができる。
【００４６】
また、モジュールユニット５で高負荷処理を実行中ではない場合（ステップＳ２２；ＮＯ）、電力系統選択部４４は、電力供給元として、ベース１を選択する（ステップＳ２４）。具体的には、図６に示したスイッチ４０４において、図４Ｂに示した第１電力切換部４４１ａが選択部４４１ｄにより選択される。これにより、モジュールユニット５に、ベース１から供給される電力が供給される。
【００４７】
また、ステップＳ２１において、信号バイパス部４３から通知される信号が、例えば、瞬停、電力低下等の異常状態の信号である場合、電力系統選択部４４は、補助電源アダプタ４に供給される電力が異常なものと判定する（ステップＳ２１；ＮＯ）。電力系統選択部４４は、電力供給元として、外部電源９を選択する（ステップＳ２５）。具体的には、図６に示したスイッチ４０４において、図４Ｃに示した第２電力切換部４４１ｂが、選択部４４１ｄにより選択される。これにより、モジュールユニット５に、外部電源９から供給される電力を供給することができる。電力系統選択部４４は、ステップＳ２１に戻り、ステップＳ２１からステップＳ２５の処理を繰り返す。
【００４８】
（変形例５）
上記の実施の形態２において、蓄電素子部４６は、ベース１から供給される電力で充電するものとした。これに限らず、予め充電された蓄電素子部４６を用いる構成にしてもよい。また、蓄電素子部４６は、ベース１とは異なる充電用電源、例えば、外部電源により充電される構成としてもよい。
【００４９】
（変形例６）
上記の実施の形態２において、図５に示した蓄電素子部４６は、補助電源アダプタ４Ａの内部に配置されるものとした。これに限らず、蓄電素子部４６を、補助電源アダプタ４Ａの外部に接続する構成としてもよい。また、蓄電素子部４６の代わりに、外部電源９、無停電電源装置を使用してもよい。
【００５０】
また、本開示の実施の形態１および２では、電力供給元選択処理プログラムおよび電源切換処理プログラムを、コンピュータが読み取り可能なＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）などの記録媒体に格納して配布し、このプログラムをコンピュータにインストールすることにより、電力供給元選択処理プログラムおよび電源切換処理プログラムに含まれる機能を実現することができるコンピュータを構成してもよい。そして、各機能をＯＳ（Ｏｐｅｒａｔｉｎｇ  Ｓｙｓｔｅｍ）とアプリケーションとの分担、またはＯＳとアプリケーションとの協同により実現する場合には、アプリケーションのみを記録媒体に格納してもよい。
【００５１】
本開示は、本開示の広義の精神と範囲を逸脱することなく、様々な実施の形態及び変形が可能とされるものである。また、上述した実施の形態は、この開示を説明するためのものであり、本開示の範囲を限定するものではない。すなわち、本開示の範囲は、実施の形態ではなく、請求の範囲によって示される。そして請求の範囲内及びそれと同等の開示の意義の範囲内で施される様々な変形が、この開示の範囲内とみなされる。
【産業上の利用可能性】
【００５２】
本開示は、補助電源アダプタに好適に利用することができる。
【符号の説明】
【００５３】
１  ベース、２、２ａ、２ｂ  モジュール装着部、３  電源モジュール、４、４Ａ、４Ｂ  補助電源アダプタ、５、７、８  モジュールユニット、９  外部電源、１１  第１バスコネクタ部、１１ａ、１１ｂ  バスコネクタ部、４１  第２バスコネクタ部、４２  第３バスコネクタ部、４３  信号バイパス部、４４  電力系統選択部、４５  外部電源接続部、４６  蓄電素子部、４７  電力供給状態検知部、４８  電力変換部、５１  第４バスコネクタ部、１００  ＰＬＣシステム、４０１  第２バスコネクタ、４０２  第３バスコネクタ、４０３  電源ポート、４０４  スイッチ、４０５  記憶装置、４０６  メモリ、４０７  プロセッサ、４０８  バス、４４１  電力切換部、４４１ａ  第１電力切換部、４４１ｂ  第２電力切換部、４４１ｃ  第３電力切換部、４４１ｄ  選択部、４４２  電力分離部、４４２ａ  第１電力分離部、４４２ｂ  第２電力分離部。
【要約】
補助電源アダプタ（４）は、モジュールユニット（５）とベース（１）との間に配置される。補助電源アダプタ（４）は、ベース（１）に接続されることで、ベース（１）から電力の供給を受け、ベース（１）との間で制御信号を送受信する第１コネクタと、モジュールユニット（５）に接続されることで、モジュールユニット（５）に電力を供給し、モジュールユニット（５）との間で制御信号を送受信する第２コネクタと、モジュールユニット（５）に供給する電力として、ベース（１）から供給される電力およびベース（１）とは異なる電力供給部から供給される電力の、いずれか一方または両方を選択し、第２コネクタからモジュールユニット（５）に電力を供給させる電力系統選択部（４４）と、を備える。【図１】
0006877670.tif 000002
【図２】
0006877670.tif 000003
【図３】
0006877670.tif 000004
【図４Ａ】
0006877670.tif 000005
【図４Ｂ】
0006877670.tif 000006
【図４Ｃ】
0006877670.tif 000007
【図４Ｄ】
0006877670.tif 000008
【図５】
0006877670.tif 000009
【図６】
0006877670.tif 000010
【図７】
0006877670.tif 000011
【図８】
0006877670.tif 000012
【図９】
0006877670.tif 000013
【図１０】
0006877670.tif 000014
【図１１】
0006877670.tif 000015
【図１２】
0006877670.tif 000016